(57)【要約】【課題】解除レバーが直接係合するロックプレートおよび保持レバーに対する位置のバラつきを極めて少なく出来して、寸法のバラツキの影響の少ない車両シートのウォークイン装置を実現する。【解決手段】前記リクライニングプレート５１が前記シートバックと連動せずに且つ前記保持レバー５４の前記第１保持部５４ｂが前記解除レバー５２から外れた状態のとき、ロックプレート２６によるアッパレール２とロアレール１のスライドロックを許容するように解除レバー５２を所定の第２位置に保持する第２保持部５４ｅを前記保持レバー５４または前記アッパレール２に設けるように構成した。【選択図】　図１
2004122798.tif 000002
【特許請求の範囲】
【請求項１】
車両シート側に取付けられるアッパレールと、該アッパレールにスライド自在に組合され車両フロア側に取付けられるロアレールとを備え、前記車両シートを前記フロア対して前後方向に位置の調整が可能に支持するスライドレール機構と、
前記アッパレールに取付けられ、前記アッパレールと前記ロアレールとのスライドをロック可能にするロックプレートと、
前記アッパレールに取付けられ、前記ロックプレートによる前記アッパレールと前記ロアレールのスライドのロックを解除させるように、前記ロックプレートと連動可能となる解除レバーと、
前記アッパレールに取付けられ、前記解除レバーと係合可能となる保持レバーと、
前記車両シートのシートバックを支持するリクライニングアーム機構の作動によって、該シートバックが所定角以上前方向へ回動したとき、該シートバックと連動して回動するリクライニングプレートと、
前記解除レバーと前記リクライニングプレートを連結するロッドと、
前記ロアレールに長さ方向の所定の範囲に亘って取付けられるメモリープレートとを備え、前記ロックプレートが前記解除レバーと連動して前記アッパレールと前記ロアレールのスライドのロックを解除するときの前記解除レバーの位置を第１位置とし、前記保持レバーには前記メモリープレートの範囲外に位置しているときに前記解除レバーを前記第１位置に保持できるように前記解除レバーと係合する第１保持部が設けられている車両シートのウォークイン装置において、
前記リクライニングプレートが前記シートバックと連動せずに且つ前記保持レバーの前記第１保持部が前記解除レバーから外れた状態のとき、前記ロックプレートによる前記アッパレールと前記ロアレールのスライドをロック許容するように前記解除レバーを所定の第２位置に保持する第２保持部を前記保持レバーまたは前記アッパレールに設けるように構成した車両シートのウォークイン装置。
【請求項２】
前記リクライングプレートと前記解除レバーに対して、それぞれ前記ロッドを回転自在に且つロッド長手方向には移動を拘束するように連結したことを特徴とする請求項１記載の車両用シートのウォークイン装置。
【請求項３】
前記リクライニングプレートの回転作動角度を前記リクライニングプレートの前記ロッドによって連結される前記解除レバーの回転作動角度より小さくなるように構成した請求項１又は請求項２に記載の車両用シートのウォークイン装置。
【発明の詳細な説明】
【０００１】
【発明の属する技術分野】
本発明は、車両シートのシートバックがシートクッションに対して前方向へリクライニング動作するのに連動して、車両シートを車両フロアに対して前方向にスライド動作させる車両シートのウォークイン装置に関するものである。
【０００２】
【従来の技術】
従来、この種のウォークイン装置は、車両シートを車両フロアに対して前後方向にスライド自在に支持するスライドレール機構と、スライドレール機構のスライドをロックするロックプレートと、ロックプレートと係合することによってロックプレートをスライドレール機構のロックから解除させる解除レバーと、所定の条件の下でロックプレートと解除レバーが係合している状態を維持するように解除レバーと係合する保持レバーを備えるように構成されている。そして、車両シートのシートバックを回動調整可能に支持するリクライニングアーム機構の作動によって、シートバックを前方向に所定角以上の回動させたとき、この回動と連動して回転するリクライニングプレートと解除レバーをロッドによって連結して構成している（例えば、特許文献１参照。）。
【０００３】
【特許文献１】
特開２０００−１９０７６０号公報
【０００４】
【発明が解決しようとする課題】
しかし、上記した従来装置であると、リクライニングプレートとロッドは、リクライニングプレートの一方側への単独な回転を許容するように、ロッドの長手方向に遊びをもって連結されている。そして、解除レバーのスライドレール機構に対する位置はロッドを介して、リクライニングアーム機構の部分に当接して保持されるリクライニングプレートによって規定される構成になっている。このために、解除レバーのロックプレートに対する位置は、リクライニングプレート、ロッド等の位置、および寸法のバラつきの影響を受け易く、ウォークインの機能が不安定になる問題がある。本発明の課題は、この問題を解決するために解除レバーのロックプレートおよび保持レバーに対する位置のバラつきを極めて少なく出来る構成を実現することである。
【０００５】
【課題を解決するための手段】上記技術的課題を解決するために本発明において講じた第１の技術的手段は、車両シート側に取付けられるアッパレールと、該アッパレールにスライド自在に組合され車両フロア側に取付けられるロアレールとを備え、前記車両シートを前記フロア対して前後方向に位置の調整が可能に支持するスライドレール機構と、前記アッパレールに取付けられ、前記アッパレールと前記ロアレールとのスライドをロック可能とするロックプレートと、前記アッパレールに取付けられ、前記ロックプレートによる前記アッパレールと前記ロアレールのスライドのロックを解除させるように、前記ロックプレートと連動可能となる解除レバーと、前記アッパレールに取付けられ、前記解除レバーと係合可能となる保持レバーと、前記車両シートのシートバックを支持するリクライニングアーム機構の作動によって、該シートバックが所定角以上前方向へ回動したとき、該シートバックと連動して回動するリクライニングプレートと、前記解除レバーと前記リクライニングプレートを連結するロッドと、前記ロアレールに長さ方向の所定の範囲に亘って取付けられるメモリープレートとを備え、前記ロックプレートが前記解除レバーと連動して前記アッパレールと前記ロアレールのスライドのロックを解除するときの前記解除レバーの位置を第１位置とし、前記保持レバーには前記メモリープレートの範囲外に位置しているときに前記解除レバーを前記第１位置に保持できるように前記解除レバーと係合する第１保持部が設けられている車両シートのウォークイン装置において、
前記リクライニングプレートが前記シートバックと連動せずに且つ前記保持レバーの前記第１保持部が前記解除レバーから外れた状態のとき、前記ロックプレートによる前記アッパレールと前記ロアレールのスライドをロック許容するように前記解除レバーを所定の第２位置に保持する第２保持部を前記保持レバーまたは前記アッパレールに設けるように構成したことである。
【０００６】
この技術的手段によれば、解除レバーがロックプレートと連動せずにロックプレートによるスライドレール機構のロックが許容される状態で、解除レバーは第２保持部によってアッパレールに対して所定の位置に正確に保持される。このために、リクライニングプレート、ロッド、スライドレール機構、リクライニングアーム機構に寸法のバラ付きがあっても第２位置への影響は少なく、解除レバーは正確に保持される。これによって、安定したウォークインの機能が得られるようになる。
【０００７】
より好ましくは、上記第１の技術的手段に加えて、前記ロッドを解除レバーおよび前記リクライニングプレートに回転自在に且つ前記ロッドの長手軸方向には移動を阻止するように嵌合して構成したことである。
【０００８】
この構成によってリクライニングプレートはロッドを介して解除レバーによって遊びがなく支持され、振動などによる音の発生が抑えられる。
【０００９】
より好ましくは、上記第１または２の技術的手段に加えて、前記リクライニングプレートの回転作動角度を前記リクライニングプレートの前記ロッドによって連結される前記解除レバーの回転作動角度より小さくなるように構成したことである。
【００１０】
この構成によって、前記リクライニングプレートのリクライニングアーム機構に対する位置もロッド、スライドレール機構、リクライニングアーム機構の寸法バラつきによる影響が少なくなり、ウォークイン作動がより安定して得られるようになる。
【００１１】
【発明の実施の形態】
図１に示されるように、本発明の車両シートのウォークイン装置を備えるスライドレール機構４は、車両シートの左右両側に装着され、車両フロア（図示せず）にブラケット４１を介して互いに対向して且つ平行に固定される左右一対のロアレール１を有している。ロアレール１は車両前後方向に延在するものであって、図３乃至図５に示されるように対の側壁１１及びこの側壁１１を互いに連結する底壁１２を有する断面略Ｕ字形状を呈している。このロアレール１の両側壁１１の上端からは、夫々、内側に屈曲して延在し且つ所定の間隔をもって互いに対向する係合フランジ壁１３が連続して形成されている。
【００１２】
車両シートのシートクッション（図示せず）の構成部品であるフレーム３１にブラケット３２を介して固定されるアッパレール２は、車両前後方向に延在するものであって、水平壁２１及び垂直壁２２を有する断面略逆Ｔ字形状を呈している。このアッパレール２の水平壁２１の両端からは、夫々、上側に屈曲して延在する係合フランジ壁２３が連続して形成されている。このアッパレール２の係合フランジ壁２３は、ロアレール１の係合フランジ壁１３とボール（図示せず）を介して係合し、これにより、アッパレール２がロアレール１にその長手方向（車両前後方向）に摺動自在に支持される。アッパレール２がロアレール１に支持された状態では、アッパレール２の水平壁２１は、ロアレール１の側壁１１間に底壁１２と平行となるようにローラ（図示せず）を介して配置され、垂直壁２２は、係合壁１３間を挿通して上方向に延在するように配置されている。ロアレール１の長手方向前端（図１の右側）とアッパレール２の長手方向後端との間には、スプリング４２が配設されており、アッパレール２は、このスプリング４２の付勢力を受けてロアレール１に対して車両前方向（図１に示す矢印方向）に常時摺動付勢されている。
【００１３】
ロアレール２のシート幅方向内側（図５の右方向）の側壁１１には、夫々、係合孔１１ａが所定の間隔をもって長手方向に複数個形成されており、アッパレール２のシート幅方向内側の係合フランジ壁２３には、夫々、係合孔１１ａと合致可能な挿通孔１３ａが形成されている。又、アッパレール２の垂直壁２２のシート幅方向内面には、係合孔１１ａと合致可能な対の貫通孔２４ａが形成された補助プレート２４が固定されており、さらに、この補助プレート２４と共に固定されたブラケット２５によりロックプレート２６がピン２５ａにより回動自在に支持されている。ロックプレート２６には、貫通孔２４ａ及び挿通孔１３ａに挿通されて係合孔１１ａと係脱自在な係合歯２６ａが形成されており、ロックプレート２６は、ピン２５ａ周りに配設されたスプリング（図示せず）により係合歯２６ａが係合孔１１ａと係合する方向（図５示時計方向）に常時回動付勢されている。又、このロックプレート２６には、ピン２５ａを挟んで係合歯２６ａと対向する位置に当接フランジ２６ｂが形成されている。
【００１４】
更に図５に示されるように、アッパレール２の垂直壁２２のシート幅方向内面には、操作レバー２７がその長手方向中央部位で回動自在に支持されている。この操作レバー２７の長手方向後端には、当接フランジ２７ｂが形成されており、長手方向前端には、操作ハンドル４３（図１）が嵌合保持されている。操作ハンドル４３は、左右の操作レバー２７を一体操作するためにシートクッションの前部下方で連結されたいわゆるループハンドルである。当接フランジ２７ｂは、その下面でロックプレート２６と当接可能に対向配置されており、操作レバー２７は図示されないスプリングにより当接フランジ２７ｂがロックプレート２６から離れる方向（図５示上方向）に常時回動付勢されている。
【００１５】
このような構成において、ロックプレート２６の係合歯２６ａとロアレール１の係合孔１１ａとの係合によりアッパレール２のロアレール１に対する摺動が規制され、これにより、車両シートは、車両フロアに対して所定の位置に保持される。又、操作ハンドル４３を操作して操作レバー２７をスプリングの付勢力に抗して回動させ、当接フランジ２６ｂ、２７ｂ同士の当接を介してロックプレート２６を回動させることで、係合歯２６ａと係合孔１１ａとの係合が解除される。これにより、アッパレール２がロアレール１に対して摺動自在となり、車両シートが車両フロアに対して車両前方向及び後方向にスライドできるようになる。つまり、車両シートの車両フロアに対する車両前後方向の位置が調整できるようになる。
【００１６】
図１に示すように、アッパアーム３４は、車両シートのシートバックの構成部品となるフレーム（図示せず）の下部側面に固定されており、ロアアーム３３に回動自在に支持されている。ロアアーム３３及びアッパアーム３４には、両者を貫通する回転軸３５が回転自在に支持されている。また各ロアアーム３３及びアッパアーム３４間には図示しない既知のラチェットとポールが備えられ、回転軸３５に一体的に取付けられた操作ハンドル３５ｂの操作によって係脱可能になっている。
【００１７】
このように構成されたロアアーム３３、アッパアーム３４及び回転軸３５が車両シートのシートバックをシートクッションに対して車両前後方向にリクライニング動作させるリクライニングアーム機構３６を構成している。又、ロアアーム３３とアッパアーム３４との間には、スプリング３７が配設されており、アッパアーム３４は、このスプリング３７の付勢力を受けてロアアーム３３に対して車両前方向に常時回動付勢されている。
【００１８】
このようなリクライニングアーム機構３６の構成において、ポールとラチェットとの噛合によりアッパアーム３４のロアアーム３３に対する回動が規制され、シートバックがシートクッションに対して所定の傾斜角で保持される。又、操作ハンドル３５ｂが操作され、ポールとラチェットとの噛合が解除されと、アッパアーム２のロアアーム１に対する回動が許容され、シートバックがシートクッションに対して車両前方向及び後方向にリクライニング動作できるようになる。つまり、シートバックのシートクッションに対する傾斜角を調整できるようになる。尚、操作ハンドル３５ｂの操作は、それ自身の車両シートの前方及び後方への延在により前方からの手による操作及び後方からの踏動による操作が可能となっている。
【００１９】
図２に示されるように、リクライニングアーム機構３６の回転軸３５には、リクライニングプレート５１が相対回動自在に支持されている。リクライングプレート５１の上端部は、アッパアーム３４に固定されたブラケット３４ｂに対して、アッパアーム３４が着座位置で最も前側方向に位置するとき、所定の間隔Ｃを持つように取付けられている。この間隔Ｃは後述するように、ロッド５３を介して解除レバー５２の位置によって規定されている。
【００２０】
アッパレール２の垂直壁２２のシート幅方向外面には、解除レバー５２がピン５２ａにより回動自在に支持されている。解除レバー５２の延在するアームの端部にはスナップ５６を介してロッド５３がその一方端で回転自在に、且つロッド５３の長手方向には解除レバー５２との移動を拘束されるように連結されている。ロッド５３の他方端は同様にスナップ５６を介してリクライングプレート５１に連結されている。ロッド５３の連結は特にスナップ５６を介さなくても、例えば図６に示すように、ロッド５３の端部をつぶして抜け止めにして、互いに回転は自在に、且つロッド５３の長手方向には移動を拘束するように連結する構成であってもよい。
【００２１】
図５に示されるように、この解除レバー５２には、アッパレール２の垂直壁２２に向かって突出する当接ピン５２ｂが固定されている。操作レバー２７の当接フランジ２７ｂは、アッパレール２の垂直壁２２に形成された開口２２ａを挿通して当接ピン５２ｂと対向するように延在しており、その上面で当接ピン５２ｂと当接可能となっている。又、図４に示すように、解除レバー５２は、ピン５２ａ周りに配設されたスプリング５２ｃの付勢力を受けて当接ピン５２ｂが当接フランジ２７ｂから離れる方向（図２の時計方向）に常時回動付勢されている。
【００２２】
図１、図２及び図３に示されるように、アッパレール２の垂直壁２２のシート幅方向外面には、保持レバー５４がピン５４ａにより回動自在に支持されている。保持レバー５４は、解除レバー５２と略同一平面上に配置される部分を備えている。解除レバー５２の保持レバー５４と対向する外周面には、係合段部５２ｄ及び接触凸部５２ｅが形成されている。一方、保持レバー５４側には、係合段部５２ｄと係合可能な腕部分５４ｂ（第１保持部）が延在形成されている。
【００２３】
図３に示すように、ピン５４ａ周りにスプリング５４ｃが配設され、保持レバー５４を図２の反時計方向に常時回動付勢している。そして、解除レバー５２と保持レバー５４が図２に実線で示されるように、リクライングプレート５１の上端部がブラケット３４ｂに当接していない、即ちリクライングプレート５１がシートバックの回動と連動しないとき、解除レバー５２が更に時計方向へ回動するのを阻止して所定の待機位置（第２位置）に保持されるように、また保持レバー５４も更に反時計方向へ回動するのが阻止されるように、解除レバー５２の接触凸部５２ｅと係合する接触凹部５４ｅ（第２保持部）が保持レバー５４に形成されている。このように接触凸部５２ｅと接触凹部５４ｅ（第２保持部）が係合したときの、アッパレール２に対して解除レバー５２と保持レバー５４の位置が、正確に確保される。特に解除レバー５２のアッパレール２に対する位置が正確に規定されるために、解除レバー５２の当接ピン５２ｂと操作レバー２７の当接フランジ２７ｂの位置関係が、各部分の寸法のバラ付きの影響が少なくなり、正確に確保される。そして、スライドレール機構４のロックの解除機能が安定して得られるようになる。
【００２４】
なお、アッパレール２に対する解除レバー５２の位置を正確に確保する第２保持部としては、解除レバー５２を上記のように保持レバー５４上の特定の部分係合させるように構成する他に、解除レバー５２を直接アッパレール２の設けたストッパ（図示せず）に当接させる方法であってもよい。
【００２５】
ロアロアレール１のシート幅方向外側の係合フランジ１３及び側壁１１の外面には、メモリープレート５５が固定されている。保持レバー５４には、メモリープレート５５と係合可能な脚部分５４ｄが延在形成されている。
【００２６】
次に作動について説明する。
【００２７】
図２に示されるように、シートバックをシートクッションに対して所定角以上前方向にリクライニング動作する（前倒し）と、アッパアーム３４のブラケット３４ｂとリクライニングプレート５１とが所定の間隔Ｃを過ぎて互いに当接する。そして、リクライニングプレート５１が図２で反時計方向に角度Ｂ回動して二点鎖線で示される位置になる。このリクライニングプレート５１の回動によりロッド５３が車両後方向に引かれ、解除レバー５２がスプリング５２ｃの付勢力に抗して図２の反時計方向に角度Ａ回動する。
【００２８】
これにより、解除レバー５２の当接ピン５２ｂが図５に示される位置から下がって操作レバー２７の当接フランジ２７ｂの上面と当接して、当接フランジ２７ｂを押し下げる。そして、操作レバー２７を回動させ、当接フランジ２７ｂの下面がロックプレート２６の当接フランジ２６ｂと当接して当接フランジ２６ｂを押し下げる。ロックプレート２６は図５示反時計方向にスプリング２５ｂの付勢力に抗して回動させられる。ロックプレート２６の係合歯２６ａとロアレール１の係合孔１１ａとの係合が解除され、アッパレール２がロアレール１に対してスプリング４２の付勢力により車両前方向へ摺動し、車両シートが車両フロアに対して車両前方向にスライド動作する。
【００２９】
ここで、角度Ｂは角度Ａより小さくなるように設定される。これによって例えばロッド５３の長さ、又は解除レバー５２の回転軸であるピン５２ａとリクライニングプレート５１の回転軸３５間の位置に寸法の多少のバラツキあっても、間隔Ｃの変動を小さくし角度Ａを十分大きく確保できるようにしている。そして、ロックプレート２６の係合歯２６ａとロアレール１の係合孔１１ａとの係合の解除が確実にできる構成となっている。
【００３０】
車両シートがスライド動作して、保持レバー５４の脚部分５４ｄがメモリープレート５５の範囲を越えるように前進すると、保持レバー５４は、解除レバー５２の図２に示す反時計方向の回動により、解除レバー５２の接触凸部５２ｅと保持レバー５４の接触凹部５４ｅの係合が解除されることでスプリング５４ｃの付勢力により図２で反時計方向に回動し、腕部分５４ｂ（第１保持部）が解除レバー５２の係合段部５２ｄと係合する。そして、スプリング５２ｃの付勢力による時計方向への解除レバー５２の回動を規制し解除レバー５２の所定位置（第１位置）に維持する。これにより、ロックプレート２６の係合歯２６ａとロアレール１の係合孔１１ａとの解除状態が維持される。尚、この状態では、保持レバー５４の脚部分５４ｄがメモリープレート５５の移動軌跡上に配置される。
【００３１】
シートバックを前述した如く前倒した状態から前倒しする前の元の状態に、即ちシートバッグをシートクッションに対して車両後方向にリクライニング動作させ、その後に車両シートを車両フロアに対して車両後方向にスライド動作させて（同時でもよい）復帰させると、アッパアーム３４のブラケット３４ａとリクライニングプレート５１との当接が解除される。また、保持レバー５４の脚部分５４ｄとメモリープレート８５とが当接して、保持レバー５４がスプリング５４ｃの付勢力に抗して図２の時計方向に回動する。そして、腕部分５４ｂと解除レバー５２の係合段部５２ｄとの係合が解除され、解除レバー５２がスプリング５２ｃの付勢力により図２の時計方向に回動し、図２の実線で示される状態にもどる。この結果、解除レバー５２の当接ピン５２ｂと操作レバー２７の当接フランジ２７ｂの上面との当接及び当接フランジ２７ｂの下面とロックプレート２６の当接フランジ２６ｂとの当接が解除されてロックプレート２６が図５の時計方向にスプリング（図示せず）の付勢力により回動する。これにより、ロックプレート２６の係合歯２６ａとロアレール１の係合孔１１ａとが係合し、アッパレール２のロアレール１に対する摺動が規制され、車両シートは、車両フロアに対して所定の位置に保持される。この時、メモリープレート５５の配置位置により、車両シートの車両フロアに対する所定位置は、任意の位置に設定可能である。
【００３２】
尚、シートバックが着座使用状態になっているとき、図２に実線で示されるように、保持レバー５４は、腕部分５４ｂの接触凹部５４ｅと解除レバー５２の接触凸部５２ｅが係合し、スプリング５４ｃの付勢力による回動を規制しており、腕部分５４ｂをメモリープレート５５の移動軌跡外に位置させている。これにより、操作ハンドル４３の操作によるアッパレール２のロアレール１に対する摺動により腕部分５４ｂとメモリープレート５５とが干渉したり、この干渉によってアッパレール２のロアレール１に対する摺動が妨げられることはなく、又、当接による異音の発生を防止することができる。
【００３３】
【発明の効果】
本発明によれば、リクライングプレート５１と解除レバー５２はそれぞれロッド５３と回転自在に、ロッド５３の長手方向には移動を拘束するように連結しているために、リクライングプレート５１は振動などでガタついて音を発生したりしない。更に、保持レバーと解除レバーおよびアッパーレールの位置が正確に確保されている上に、リクライニングプレート５１の作動角度Ｂが解除レバー５２の作動角度Ａより小さくなるように設定されているために、各部分の寸法の多少のバラツキあっても、アッパアーム３４のブラケット３４ｂとリクライニングプレート５１の間隔Ｃの変動を小さく、解除レバーの係合解除タイミングがバラツキを少なく且つ確実な解除作動をえることができる。
【図面の簡単な説明】
【図１】本発明に係るウォークイン装置を備える車両用シートの側面図である。
【図２】本発明に係る車両用シートのウォークイン装置の作動を示す正面図である。
【図３】本発明に係る車両用シートのウォークイン装置の保持レバーを示す図１における縦断面図である。
【図４】本発明に係る車両用シートのウォークイン装置の解除レバーを示す図１における縦断面図である。
【図５】本発明に係る車両用シートのウォークイン装置のロックプレートを示す図１における縦断面図である。
【図６】本発明に係る車両用シートのウォークイン装置のロッドの連結方法で、第２実施例を示す。
【符号の説明】
１　　ロアレール
２　　アッパレール
４　　スライドレール機構
２６　ロックプレート
５１　リクライニングプレート
５２　解除レバー
５３　ロッド
５４　保持レバー
５４ｂ　第１保持部（腕部分）
５４ｅ　第２保持部（接触凹部）
５５　メモリープレート
【図１】
2004122798.tif 000003
【図２】
2004122798.tif 000004
【図３】
2004122798.tif 000005
【図４】
2004122798.tif 000006
【図５】
2004122798.tif 000007
【図６】
2004122798.tif 000008